【手続補正書】
【提出日】平成25年11月14日(2013.11.14)
【手続補正１】
【補正対象書類名】特許請求の範囲
【補正対象項目名】請求項２３
【補正方法】変更
【補正の内容】
【請求項２３】
標準化された属性情報を生成するためのコンピュータプログラムであって、
サービスを求めるアクセス要求をユーザから受信するための機能と、
前記ユーザに関係付けられているアクセス要求の頻度を更新するための機能と、
前記アクセス要求に少なくとも部分的に基づく解析結果を受信するための機能と、
アクセスの頻度が所定の頻度を上回るか否かを決定するための機能と、
前記アクセスの頻度が前記所定の頻度を超えていない場合に、前記アクセス要求を許可するための機能と、
前記アクセスの頻度が前記所定の頻度を上回る場合に、前記解析結果に少なくとも部分的に基づいて、前記ユーザからの前記アクセス要求を遮断するか否かを決定するための機能と、
をコンピュータによって実現させる、コンピュータプログラム。
【手続補正２】
【補正対象書類名】明細書
【補正対象項目名】００８１
【補正方法】変更
【補正の内容】
【００８１】
以上の実施形態は、理解を明瞭にする目的で幾らか詳細に説明されてきたが、本発明は、提供された詳細に限定されない。本発明の実現には、多くの代替的手法がある。開示された実施形態は、例示のためであって、限定的なものではない。
適用例１：ネットワークアクセス要求を解析する方法であって、サービスを求めるアクセス要求をユーザから受信することと、前記ユーザに関係付けられているアクセス要求の頻度を更新することと、前記アクセス要求に少なくとも部分的に基づく解析結果を受信することと、アクセスの頻度が所定の頻度を超えているか否かを決定することと、前記アクセスの頻度が前記所定の頻度を超えていない場合に、前記アクセス要求を許可することと、前記アクセスの頻度が前記所定の頻度を上回る場合に、前記解析結果に少なくとも部分的に基づいて、前記ユーザからの前記アクセス要求を遮断するか否かを決定することと、を備える方法。
適用例２：適用例１に記載の方法であって、更に、前記アクセス要求の少なくとも一部分を解析装置に送信することを備える方法。
適用例３：適用例１に記載の方法であって、更に、前記解析結果に少なくとも部分的に基づいて遮断情報を更新することを備える方法。
適用例４：適用例３に記載の方法であって、前記遮断情報は、対応する１つ又は２つ以上の悪意のあるアクセス装置に関係付けられている１つ又は２つ以上の属性情報を含む、方法。
適用例５：適用例３に記載の方法であって、前記ユーザからの前記アクセス要求を遮断するか否かを決定することは、前記遮断情報に少なくとも部分的に基づく、方法。
適用例６：適用例１に記載の方法であって、更に、前記アクセス要求が遮断されるべきであると決定された場合に、前記ユーザは悪意のあるアクセス装置を含むと決定することを備える方法。
適用例７：適用例１に記載の方法であって、前記アクセス要求は、ＨＴＴＰ要求又はＨＴＴＰＳ要求を含む、方法。
適用例８：適用例１に記載の方法であって、更に、前記アクセス要求から解析情報を得ることを備える方法。
適用例９：適用例８に記載の方法であって、更に、前記得られた解析情報を解析装置に送信することを備える方法。
適用例１０：適用例１に記載の方法であって、前記解析情報は、ＩＰアドレス、クッキーコンテンツ、ＨＴＴＰヘッダフィールドセット識別子、要求されたデータコンテンツ、又はサブミットされたデータコンテンツのうちの、１つ又は２つ以上を含む、方法。
適用例１１：適用例８に記載の方法であって、更に、所定の期間にわたって前記解析情報の少なくとも一部分が所定の閾値を上回るか否かを決定し、前記所定の期間にわたって前記解析情報の前記少なくとも一部分が前記所定の閾値を上回る場合に、前記ユーザは悪意のあるアクセス装置からアクセスしていると決定することを備える方法。
適用例１２：アクセス要求を解析するためのシステムであって、１つ又は２つ以上のプロセッサと、前記プロセッサに接続され、前記プロセッサに命令を提供するように構成されているメモリと、を備え、
前記１つ又は２つ以上のプロセッサは、サービスを求めるアクセス要求をユーザから受信し、前記ユーザに関係付けられているアクセス要求の頻度を更新し、前記アクセス要求に少なくとも部分的に基づく解析結果を受信し、アクセスの頻度が所定の頻度を上回るか否かを決定し、前記アクセスの頻度が前記所定の頻度を超えていない場合に、前記アクセス要求を許可し、前記アクセスの頻度が前記所定の頻度を上回る場合に、前記解析結果に少なくとも部分的に基づいて、前記ユーザからの前記アクセス要求を遮断するか否かを決定するように、構成されている、システム。
適用例１３：適用例１２に記載のシステムであって、更に、前記アクセス要求の少なくとも一部分を解析装置に送信するように構成されてい１つ又は２つ以上のプロセッサを備えるシステム。
適用例１４：適用例１２に記載のシステムであって、更に、前記解析結果に少なくとも部分的に基づいて遮断情報を更新するように構成されてい１つ又は２つ以上のプロセッサを備えるシステム。
適用例１５：適用例１４に記載のシステムであって、前記遮断情報は、対応する１つ又は２つ以上の悪意のあるアクセス装置に関係付けられている１つ又は２つ以上の属性情報を含む、システム。
適用例１６：適用例１４に記載のシステムであって、前記ユーザからの前記アクセス要求を遮断するか否かの決定は、前記遮断情報に少なくとも部分的に基づく、システム。
適用例１７：適用例１２に記載のシステムであって、更に、前記アクセス要求が遮断されるべきだと決定された場合に、前記ユーザは悪意のあるアクセス装置を含むと決定するように構成されている１つ又は２つ以上のプロセッサを備えるシステム。
適用例１８：適用例１２に記載のシステムであって、前記アクセス要求は、ＨＴＴＰ要求又はＨＴＴＰＳ要求を含む、システム。
適用例１９：適用例１２に記載のシステムであって、更に、前記アクセス要求から解析情報を得るように構成されている１つ又は２つ以上のプロセッサを備えるシステム。
適用例２０：適用例１９に記載のシステムであって、更に、前記得られた解析情報を解析装置に送信するように構成されている１つ又は２つ以上のプロセッサを備えるシステム。
適用例２１：適用例１２に記載のシステムであって、前記解析情報は、ＩＰアドレス、クッキーコンテンツ、ＨＴＴＰヘッダフィールドセット識別子、要求されたデータコンテンツ、又はサブミットされたデータコンテンツの、１つまたは２つ以上を含む、システム。
適用例２２：適用例１９に記載のシステムであって、更に、所定の期間にわたって前記解析情報の少なくとも一部分が所定の閾値を上回るか否かを決定し、前記所定の期間にわたって前記解析情報の前記少なくとも一部分が前記所定の閾値を上回る場合に、前記ユーザは悪意のあるアクセス装置からアクセスしていると決定するように構成されてい１つ又は２つ以上のプロセッサを備えるシステム。
適用例２３：標準化された属性情報を生成するためのコンピュータプログラム製品であって、コンピュータ可読記憶媒体に実装され、サービスを求めるアクセス要求をユーザから受信するためのコンピュータ命令と、前記ユーザに関係付けられているアクセス要求の頻度を更新するためのコンピュータ命令と、前記アクセス要求に少なくとも部分的に基づく解析結果を受信するためのコンピュータ命令と、アクセスの頻度が所定の頻度を上回るか否かを決定するためのコンピュータ命令と、前記アクセスの頻度が前記所定の頻度を超えていない場合に、前記アクセス要求を許可するためのコンピュータ命令と、前記アクセスの頻度が前記所定の頻度を上回る場合に、前記解析結果に少なくとも部分的に基づいて、前記ユーザからの前記アクセス要求を遮断するか否かを決定するためのコンピュータ命令と、を備えるコンピュータプログラム製品。